(57)【要約】【課題】回路基板と液晶パネルとをケーブルで接続することなく、液晶パネルに画像を生成することが可能な液晶プロジェクタ等を提供すること。【解決手段】回路基板１３０と、光変調器１１０を有する液晶プロジェクタ１００において、回路基板１３０が、画像表示用の画像情報を生成する画像情報生成部１３２と、前記画像情報を光変調器１１０に無線で送信する送信部１３４を含み、光変調器１１０が、前記画像情報を無線で受信する受信部１１２と、少なくとも１つの液晶パネル５０と、前記画像情報に基づき、液晶パネル５０を駆動する駆動部１１４を含んで構成される。【選択図】図４
2010078918.tif 000002
【特許請求の範囲】
【請求項１】
回路基板と、光変調器とを有する液晶プロジェクタにおいて、
前記回路基板は、
画像表示用の画像情報を生成する画像情報生成部と、
前記画像情報を前記光変調器に無線で送信する送信部と、
を含み、
前記光変調器は、
前記画像情報を無線で受信する受信部と、
少なくとも１つの液晶パネルと、
前記画像情報に基づき、前記液晶パネルを駆動する駆動部と、
を含む、
液晶プロジェクタ。
【請求項２】
請求項１に記載の液晶プロジェクタにおいて、
前記光変調器の底面から上面に向けて送風することによって前記光変調器を冷却する送風部を含み、
前記回路基板は、前記光変調器の上面と対向する部分が開口している、
液晶プロジェクタ。
【請求項３】
請求項１、２のいずれかに記載の液晶プロジェクタにおいて、
前記光変調器は、前記液晶パネルと前記駆動部とを接続するコネクタを含む、
液晶プロジェクタ。
【請求項４】
回路基板と、光変調器とを有する液晶プロジェクタにおける画像生成方法において、
前記回路基板の有する送信部が、画像情報を無線で送信し、
前記光変調器の有する受信部が、前記画像情報を無線で受信し、
前記光変調器の有する駆動部が、前記画像情報に基づき、前記光変調器の有する少なくとも１つの液晶パネルを駆動して当該液晶パネルに画像を生成する、
画像生成方法。
【請求項５】
請求項４に記載の画像生成方法において、
前記回路基板は、前記光変調器の上面と対向する部分が開口しており、
前記駆動部は、前記光変調器の底面から上面に向けて送風された状態で、前記液晶パネルに前記画像を生成する、
画像生成方法。
【発明の詳細な説明】
【技術分野】
【０００１】
本発明は、液晶プロジェクタおよび画像生成方法に関する。
【背景技術】
【０００２】
特開２００８−８９６８９号公報に記載されているように、一般的な液晶プロジェクタでは液晶パネルの上部にメイン基板（回路基板）が配置され、メイン基板と液晶パネルとがケーブルによって接続されている。
【特許文献１】特開２００８−８９６８９号公報
【発明の開示】
【発明が解決しようとする課題】
【０００３】
画像の投写時に液晶パネルは高温になるため、冷却される必要があるが、液晶パネルの上部にメイン基板が配置されていると風が通りにくく、冷却効率が低下する一因となっていた。また、液晶パネルの上部にメイン基板が配置される必要があるため、プロジェクタ内の回路等の配置の自由度が低下する一因となっていた。
【０００４】
さらに、近年、画像の高解像度化に伴い、上記ケーブルにおける画像信号伝達速度が上がり、上記ケーブルにおける画像信号の本数も増加してきており、上記ケーブルがアンテナとなってＥＭＩ(Electromagnetic Interface)ノイズが発生しやすくなってきており、当該ノイズを抑制するための手間や費用も増加してきている。
【０００５】
本発明の目的は、回路基板と液晶パネルとをケーブルで接続することなく、液晶パネルに画像を生成することが可能な液晶プロジェクタおよび画像生成方法を提供することにある。
【課題を解決するための手段】
【０００６】
上記課題を解決するため、本発明に係る液晶プロジェクタは、回路基板と、光変調器とを有する液晶プロジェクタにおいて、前記回路基板は、画像表示用の画像情報を生成する画像情報生成部と、前記画像情報を前記光変調器に無線で送信する送信部と、を含み、前記光変調器は、前記画像情報を無線で受信する受信部と、少なくとも１つの液晶パネルと、前記画像情報に基づき、前記液晶パネルを駆動する駆動部と、を含むことを特徴とする。
【０００７】
また、本発明に係る画像生成方法は、回路基板と、光変調器とを有する液晶プロジェクタにおける画像生成方法において、前記回路基板の有する送信部が、画像情報を無線で送信し、前記光変調器の有する受信部が、前記画像情報を無線で受信し、前記光変調器の有する駆動部が、前記画像情報に基づき、前記光変調器の有する少なくとも１つの液晶パネルを駆動して当該液晶パネルに画像を生成することを特徴とする。
【０００８】
本発明によれば、液晶プロジェクタは、回路基板と液晶パネルとの間で画像情報を無線で送受信することにより、回路基板と液晶パネルとをケーブルで接続することなく、液晶パネルに画像を生成することができる。
【０００９】
また、前記液晶プロジェクタは、前記光変調器の底面から上面に向けて送風することによって前記光変調器を冷却する送風部を含み、前記回路基板は、前記光変調器の上面と対向する部分が開口していてもよい。
【００１０】
また、前記回路基板は、前記光変調器の上面と対向する部分が開口しており、前記駆動部は、前記光変調器の底面から上面に向けて送風された状態で、前記液晶パネルに前記画像を生成してもよい。
【００１１】
これによれば、液晶プロジェクタは、回路基板と液晶パネルとの間で画像情報を無線で送受信することにより、光変調器と対向する回路基板部分を開口させることができるため、光変調器の冷却効率を高めることができる上、回路基板における回路等の配置の自由度を高めることができる。
【００１２】
また、前記光変調器は、前記液晶パネルと前記駆動部とを接続するコネクタを含んでもよい。
【００１３】
これによれば、液晶プロジェクタ等は、液晶パネルと前記駆動部とを接続する手段としてケーブルではなくコネクタを用いることにより、ケーブルによって発生するＥＭＩノイズをなくすことができる。
【発明を実施するための最良の形態】
【００１４】
以下、本発明を液晶プロジェクタに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１５】
（第１の実施例）
図１は、従来の光変調器周辺の概略断面図である。例えば、３板式の液晶プロジェクタ１０の場合、液晶プロジェクタ１０は、３枚の液晶パネル５０を介してクロスダイクロイックプリズム６０に光を入射し、画像を投写する。液晶パネル５０の上方には回路基板３０が配置され、回路基板３０の駆動部４０と各液晶パネル５０とがケーブル９０によって接続されている。また、回路基板３０には、ケーブル９０を通すための穴が設けられている。
【００１６】
また、クロスダイクロイックプリズム６０は、支持部７０によって支持され、支持部７０の下方にあるダクト８０から上（下ケース２１から上ケース２０への方向）に向けて風が送られることにより、液晶パネル５０等が冷却される。また、これらの各部は上ケース２０と下ケース２１の間に収納されている。
【００１７】
しかし、従来の液晶プロジェクタ１０の場合、回路基板３０と液晶パネル５０をケーブル９０で接続する必要があるため、液晶パネル５０の上方に回路基板３０が配置される必要があり、回路基板３０が液晶パネル５０等の冷却の妨げとなっていた。
【００１８】
図２は、第１の実施例における光変調器周辺の概略断面図である。また、図３は、第１の実施例における光変調器周辺の概略平面図である。本実施例では、回路基板１３０−１に送信部１３４を設け、クロスダイクロイックプリズム６０の上に受信基板１１３を設け、回路基板１３０−１と受信基板１１３との間で画像情報（例えば、デジタルＲＧＢ信号等）を無線で送受信する。受信基板１１３は受信部１１２と駆動部１１４を有し、駆動部１１４と液晶パネル５０がケーブル９０よりも短いケーブル９２で接続されている。
【００１９】
ミラー５１、５２を介してＲ光が液晶パネル５０Ｒに入射し、ミラー５１、５３を介してＧ光が液晶パネル５０Ｇに入射し、ミラー５１、５３、５４、５５を介してＢ光が液晶パネル５０Ｂに入射する。また、ＲＧＢに対応した３つの駆動部１１４Ｒ、１１４Ｇ、１１４Ｂが各液晶パネル５０を駆動し、クロスダイクロイックプリズム６０が各光を合成し、投写部１９０が合成光を投射することによって画像が投写される。なお、光の平行化等を行う種々のレンズ、偏光板等も図３に示す光学系に含まれてもよい。
【００２０】
このような構成を採用することにより、液晶プロジェクタ１００は、回路基板１３０−１における光変調器と平面において重なる部分を開口することができる上、ケーブル９２の長さも短くすることができるため、ＥＭＩノイズも低減できる。
【００２１】
なお、回路基板１３０−１の開口による基板面積の縮小を補うため、図３の長方形で示す２つの回路基板１３０−２、１３０−３を分散して配置してもよい。また、回路基板１３０−２、１３０−３は、平板状であり、回路基板１３０−１に対して垂直方向に配置されている。
【００２２】
次に、このような機能を有する液晶プロジェクタ１００の機能ブロックについて説明する。図４は、第１の実施例における液晶プロジェクタ１００の機能ブロック図である。液晶プロジェクタ１００は、回路基板１３０と、光変調器１１０と、光変調器１１０の底面から上面に向けて送風することによって光変調器１１０を冷却する送風部１４０と、光源であるランプ１５０と、投写部１９０の一部である投写レンズ１２０を含んで構成されている。
【００２３】
また、回路基板１３０は、画像表示用の画像情報を生成する画像情報生成部１３２と、画像情報を光変調器１１０に無線で送信する送信部１３４を含んで構成されている。また、光変調器１１０は、画像情報を無線で受信する受信部１１２と、３つの液晶パネル５０（５０Ｒ、５０Ｇ、５０Ｂ）と、画像情報に基づき、各液晶パネル５０を駆動する３つの駆動部１１４（１１４Ｒ、１１４Ｇ、１１４Ｂ）と、クロスダイクロイックプリズム６０を含んで構成されている。
【００２４】
なお、無線の送受信方式は任意であり、例えば、赤外光等による光無線通信方式であってもよいし、電波による無線通信方式であってもよい。また、近年、無線通信であっても通信速度は高速化されているため、液晶プロジェクタ１００は、高解像度の画像情報も無線で送受信してリアルタイムに表示することが可能である。送信部１３４および受信部１１２には、これらの通信方式に合わせたハードウェアが適用される。また、例えば、画像情報生成部１３２は画像処理回路、駆動部１１４は液晶駆動回路等であってもよい。
【００２５】
次に、液晶プロジェクタ１００画像生成手順について説明する。図５は、第１の実施例における画像生成手順を示すフローチャートである。画像情報生成部１３２は、ＰＣ(Personal Computer)等からの画像信号（例えば、ＲＧＢ信号等）に基づき、画像情報を生成する（ステップＳ１）。送信部１３４は、当該画像情報を無線で光変調器１１０に送信する（ステップＳ２）。
【００２６】
受信部１１２は、当該画像情報を受信する（ステップＳ３）。駆動部１１４は、当該画像情報に基づき、液晶パネル５０を駆動し（例えば、液晶パネル５０の各画素の透過率の調整等）、液晶パネル５０に画像を生成する（ステップＳ４）。
【００２７】
クロスダイクロイックプリズム６０は、各液晶パネル５０からの光を合成して合成光を生成し、投写部１９０は、投写レンズ１２０を介して合成光を投射することにより、スクリーン等に画像を投写する（ステップＳ５）。なお、画像の投写中、送風部１４０は、ダクト８０から送風することにより、液晶パネル５０等を冷却する。
【００２８】
以上のように、本実施例によれば、液晶プロジェクタ１００は、回路基板１３０と受信基板１１３との間で画像情報を無線で送受信することにより、回路基板１３０における光変調器と平面において重なる部分を開口することができるので、送風部１４０による風の通り道が確保することができるため、液晶プロジェクタ１００全体の冷却効率を高めることができる。
【００２９】
また、本実施例によれば、液晶プロジェクタ１００は、従来のように回路基板１３０と液晶パネル５０をケーブルで直接接続する必要がないので、駆動部１１４と液晶パネル５０を接続するケーブル９２の長さも短くすることができるため、ＥＭＩノイズも低減できる。
【００３０】
さらに、本実施例によれば、液晶プロジェクタ１００は、回路基板１３０と液晶パネル５０をケーブルで直接接続する必要がないため、回路基板１３０における回路等の配置の自由度を高めることができる。
【００３１】
（第２の実施例）
第１の実施例では、駆動部１１４と液晶パネル５０がケーブル９２で接続されているが、駆動部１１４と液晶パネル５０がコネクタで接続されてもよい。図６は、第２の実施例における光変調器周辺の概略断面図である。
【００３２】
例えば、液晶プロジェクタ１０１では、駆動部１１４と液晶パネル５０がコネクタ９４で接続されている。
【００３３】
これによれば、液晶プロジェクタ１０１は、駆動部１１４と液晶パネル５０を接続するケーブルから発生するＥＭＩノイズをなくすことができる。
【００３４】
（その他の実施例）
なお、本発明の適用は上述した実施例に限定されず、種々の変形が可能である。例えば、送信部１３４、受信部１１２等の位置は図３に示す例には限定されない。例えば、送信部１３４は、分離された回路基板１３０−２または回路基板１３０−３に設けられてもよい。
【００３５】
また、上述した実施例では、回路基板１３０−２、１３０−３が、それぞれ回路基板１３０−１に対して垂直方向に配置されているが、各回路基板は平面方向に配置されてもよく、例えば、回路基板１３０が複数枚に分離されて平面方向に配置されてもよい。
【００３６】
図７は、その他の実施例における光変調器周辺の概略平面図である。例えば、回路基板１３１は、回路基板１３１−１と回路基板１３１−２に分離され、回路基板１３１−１の一部の上に回路基板１３１−２が配置されている。また、図７に示すように、回路基板の開口部分の形状は任意であり、例えば、図３に示すコの字形状、図７に示すロの字形状等であってもよい。
【００３７】
また、液晶プロジェクタ１００、１０１は３板式であるが、１板式の液晶プロジェクタに対しても本発明は有効である。
【００３８】
また、液晶プロジェクタ１００、１０１の機能を複数の装置（例えば、ＰＣと液晶プロジェクタ等）に分散して実装してもよい。
【図面の簡単な説明】
【００３９】
【図１】従来の光変調器周辺の概略断面図である。
【図２】第１の実施例における光変調器周辺の概略断面図である。
【図３】第１の実施例における光変調器周辺の概略平面図である。
【図４】第１の実施例における液晶プロジェクタの機能ブロック図である。
【図５】第１の実施例における画像生成手順を示すフローチャートである。
【図６】第２の実施例における光変調器周辺の概略断面図である。
【図７】その他の実施例における光変調器周辺の概略平面図である。
【符号の説明】
【００４０】
１０、１００、１０１  液晶プロジェクタ、２０  上ケース、２１  下ケース、３０、１３０、１３１  回路基板、４０、１１４  駆動部、５０  液晶パネル、５１〜５５  ミラー、６０  クロスダイクロイックプリズム、７０  支持部、８０  ダクト、９０、９２  ケーブル、９４  コネクタ、１１０  光変調器、１１２  受信部、１１３  受信基板、１２０  投写レンズ、１３２  画像情報生成部、１３４  送信部、１４０  送風部、１５０  ランプ、１９０  投写部
【図１】
2010078918.tif 000003
【図２】
2010078918.tif 000004
【図３】
2010078918.tif 000005
【図４】
2010078918.tif 000006
【図５】
2010078918.tif 000007
【図６】
2010078918.tif 000008
【図７】
2010078918.tif 000009